(57)【要約】【課題】調理人やその補助者に負担をかけずに調理のレシピを作成することができるレシピ作成装置を提供すること。【解決手段】レシピ作成装置２は、電子秤１０ａ乃至１０ｅによって検出された質量、操作センサ１２によって検出された操作、および、温度センサ１４によって検出された温度をタイマによって計られた時刻に対応させて記録し、各調理段階で使用された食材の量と、各調理段階で利用された調理器具の利用状態とを検出することにより、調理のレシピを表すレシピ情報を生成する。【選択図】図１
2009151352.tif 000002
【特許請求の範囲】
【請求項１】
各食材の量を検出する第１のセンサと、
各調理器具の状態を検出する第２のセンサと、
時刻を計るタイマと、
前記第１のセンサによって検出された各食材の量および前記第２のセンサによって検出された各調理器具の状態を前記タイマによって計られた時刻に対応させて記録する記録部と、
前記記録部に記録された食材の量に基づいて、各調理段階で使用された食材の量を検出すると共に、前記記録部に記録された調理器具の状態に基づいて、各調理段階で利用された調理器具の利用状態を検出することにより、調理のレシピを表すレシピ情報を生成するレシピ情報生成部と、を備えたレシピ作成システム。
【請求項２】
前記調理の風景を撮影するための撮影部と、
前記レシピ情報生成部によって生成されたレシピ情報に基づいて、各調理段階におけるレシピを表す文字情報と前記撮影部に撮影された映像とを合成する映像合成部と、をさらに備えたことを特徴とする請求項１に記載のレシピ作成システム。
【請求項３】
前記映像合成部は、各調理段階におけるレシピの履歴を表す文字情報と前記撮影部に撮影された映像とをさらに合成することを特徴とする請求項１または請求項２に記載のレシピ作成システム。
【請求項４】
前記第１のセンサは、電子秤によって構成され、
前記レシピ情報生成部は、前記電子秤によって質量が検出されなくなる直前の質量と次に検出された質量との差分を当該食材の使用量として算出することを特徴とする請求項１乃至請求項３の何れかに記載のレシピ作成システム。
【請求項５】
前記第２のセンサは、前記調理器具になされた操作を検出する操作センサによって構成され、
前記レシピ情報生成部は、前記操作センサによって検出された操作に基づいて、前記調理器具の状態を検出することを特徴とする請求項１乃至請求項４の何れかに記載のレシピ作成システム。
【請求項６】
前記第２のセンサは、調理用の容器に設けられた温度センサによって構成され、
前記レシピ情報生成部は、前記温度センサによって検出された温度に基づいて、前記調理器具の状態を検出することを特徴とする請求項１乃至請求項５の何れかに記載のレシピ作成システム。
【請求項７】
各食材の量を検出する第１のセンサと、各調理器具の状態を検出する第２のセンサとが通信可能に設けられるレシピ作成装置であって、
時刻を計るタイマと、
前記第１のセンサによって検出された各食材の量および前記第２のセンサによって検出された各調理器具の状態を前記タイマによって計られた時刻に対応させて記録する記録部と、
前記記録部に記録された食材の量に基づいて、各調理段階で使用された食材の量を検出すると共に、前記記録部に記録された調理器具の状態に基づいて、各調理段階で利用された調理器具の利用状態を検出することにより、調理のレシピを表すレシピ情報を生成するレシピ情報生成部と、を備えたレシピ作成装置。
【発明の詳細な説明】
【技術分野】
【０００１】
本発明は、調理のレシピを作成するレシピ作成システムに関するものである。
【背景技術】
【０００２】
従来の料理番組においては、調理風景が撮影された動画と、調理時の音声と、レシピを表す文字情報とを含むコンテンツがネットワークやテレビ放送を介して配信されている（例えば、特許文献１参照）。
【特許文献１】特開２００１−１８８８２９号公報
【発明の開示】
【発明が解決しようとする課題】
【０００３】
しかしながら、調理人が日頃の感覚で調理する場合には、日頃の感覚で調味料の量や火加減等を決めているにもかかわらず、料理番組においては、調味料の使用量や火加減等を具体的に示さなければならず、調理のレシピを作成するために調理人やその補助者に負担をかけてしまうといった課題があった。
【０００４】
本発明は、従来の課題を解決するためになされたもので、調理人やその補助者に負担をかけずに調理のレシピを作成することができるレシピ作成システムを提供することを目的とする。
【課題を解決するための手段】
【０００５】
本発明のレシピ作成システムは、各食材の量を検出する第１のセンサと、各調理器具の状態を検出する第２のセンサと、時刻を計るタイマと、前記第１のセンサによって検出された各食材の量および前記第２のセンサによって検出された各調理器具の状態を前記タイマによって計られた時刻に対応させて記録する記録部と、前記記録部に記録された食材の量に基づいて、各調理段階で使用された食材の量を検出すると共に、前記記録部に記録された調理器具の状態に基づいて、各調理段階で利用された調理器具の利用状態を検出することにより、調理のレシピを表すレシピ情報を生成するレシピ情報生成部と、を備えた構成を有している。
【０００６】
この構成により、本発明のレシピ作成システムは、各センサによって検出される調味料の使用量や火加減等に基づいて調理のレシピを作成するため、調理人やその補助者に負担をかけずに調理のレシピを作成することができる。
【０００７】
なお、本発明のレシピ作成システムは、前記調理の風景を撮影するための撮影部と、前記レシピ情報生成部によって生成されたレシピ情報に基づいて、各調理段階におけるレシピを表す文字情報と前記撮影部に撮影された映像とを合成する映像合成部と、をさらに備えるようにしてもよい。
【０００８】
この構成により、本発明のレシピ作成システムは、各調理段階におけるレシピを表す文字情報を撮影部によって撮影された映像と同期して表示させることができるため、リアルタイムで配信される料理番組においても適用することができる。
【０００９】
また、前記映像合成部は、各調理段階におけるレシピの履歴を表す文字情報と前記撮影部に撮影された映像とを合成するようにしてもよい。
【００１０】
この構成により、本発明のレシピ作成システムは、番組の視聴者が各調理段階におけるレシピを見逃してしまうことを防止することができる。
【００１１】
また、前記第１のセンサは、電子秤によって構成され、前記レシピ情報生成部は、前記電子秤によって質量が検出されなくなる直前の質量と次に検出された質量との差分を当該食材の使用量として算出するようにしてもよい。
【００１２】
この構成により、本発明のレシピ作成システムは、食材の使用量を正確に算出することができ、食材の使用量を「少々」や「適量」等といったあいまいな表現でなく、具体的な数値で番組の視聴者に伝えることができる。
【００１３】
また、前記第２のセンサは、前記調理器具になされた操作を検出する操作センサによって構成され、前記レシピ情報生成部は、前記操作センサによって検出された操作に基づいて、前記調理器具の状態を検出するようにしてもよい。
【００１４】
この構成により、本発明のレシピ作成システムは、調理器具になされた操作を正確に番組の視聴者に伝えることができる。
【００１５】
また、前記第２のセンサは、調理用の容器に設けられた温度センサによって構成され、前記レシピ情報生成部は、前記温度センサによって検出された温度に基づいて、前記調理器具の状態を検出するようにしてもよい。
【００１６】
この構成により、本発明のレシピ作成システムは、調理に用いる湯や油等の温度を正確に番組の視聴者に伝えることができる。
【００１７】
また、本発明のレシピ作成装置は、各食材の量を検出する第１のセンサと、各調理器具の状態を検出する第２のセンサとが通信可能に設けられるレシピ作成装置であって、時刻を計るタイマと、前記第１のセンサによって検出された各食材の量および前記第２のセンサによって検出された各調理器具の状態を前記タイマによって計られた時刻に対応させて記録する記録部と、前記記録部に記録された食材の量に基づいて、各調理段階で使用された食材の量を検出すると共に、前記記録部に記録された調理器具の状態に基づいて、各調理段階で利用された調理器具の利用状態を検出することにより、調理のレシピを表すレシピ情報を生成するレシピ情報生成部と、を備えた構成を有している。
【００１８】
この構成により、本発明のレシピ作成装置は、各センサによって検出される調味料の使用量や火加減等に基づいて調理のレシピを作成するため、調理人やその補助者に負担をかけずに調理のレシピを作成することができる。
【発明の効果】
【００１９】
本発明は、調理人やその補助者に負担をかけずに調理のレシピを作成することができるレシピ作成システムを提供することができる。
【発明を実施するための最良の形態】
【００２０】
以下、本発明の実施の形態について、図面を参照して説明する。本発明の一実施の形態のレシピ作成システムを図１に示す。
【００２１】
図１に示すように、レシピ作成システム１は、料理番組を制作するスタジオ内の調理場等に設けられたレシピ作成装置２と、調理の風景を撮影する撮影部としてのカメラ３と、調理時に集音するためのマイクロホン４と、複数のセンサとを備えている。
【００２２】
なお、図１においては、１つのカメラ３と、１つのマイクロホン４とがレシピ作成システム１に設けられている例を示しているが、本発明に係るレシピ作成システムを構成するカメラとマイクロホンの数を限定するものではない。
【００２３】
各センサとしては、調理に要する食材がそれぞれ載せられた複数の電子秤１０ａ乃至１０ｅ、加熱器１１になされた操作を検出する操作センサ１２、および、調理用鍋１３内に設けられた温度センサ１４等がある。
【００２４】
なお、本発明において、食材は、肉、魚および野菜等に加えて、調味料および水等を含むものとする。また、本実施の形態においては、電子秤１０ａ乃至１０ｅが本発明に係る第１のセンサを構成し、操作センサ１２および温度センサ１４が本発明に係る第２のセンサを構成する。
【００２５】
また、レシピ作成システム１は、他の電子秤、他の調理機器に設けられた操作センサ、他の調理用容器に設けられた温度センサ、水道の使用量を検出するセンサ、および、シンクからの排水量を検出するセンサ等のような他のセンサを備えるようにしてもよいが、本発明を理解しやすくするために、本実施の形態においては、図１に示した範囲のセンサを用いて説明する。
【００２６】
調理場に設けられた各センサは、有線または無線でレシピ作成装置２と通信するようになっているが、調理用鍋１３に設けられた温度センサ１４等のように調理中に移動される調理器具に設けられるセンサは、無線でレシピ作成装置２と通信することが好ましい。
【００２７】
例えば、本実施の形態においては、調理用鍋１３に設けられた温度センサ１４は、検出した温度をＺｉｇＢｅｅ（登録商標）に準拠してレシピ作成装置２に送信するように構成されている。
【００２８】
図２に示すように、レシピ作成装置２は、タイマを有するＣＰＵ（Central Processing Unit）等のプロセッサ２０と、ＲＡＭ（Random Access Memory）２１と、ＲＯＭ（Read Only Memory）２２と、ハードディスク装置２３と、キーボード装置やポインティングデバイス等よりなる入力装置２４と、液晶ディスプレイ装置等よりなる表示装置２５とを備えたコンピュータ装置によって構成されている。
【００２９】
また、レシピ作成装置２は、前述した各センサ１０ａ乃至１０ｅ、１２、１４によって検出された検出値、カメラ３によって撮影された映像を表す映像信号およびマイクロホン４によって集音された音声を表す音声信号を受信するためのインタフェイス回路２６と、ネットワーク５を介して接続された映像配信サーバ６等の外部装置と通信を行うための通信モジュール２７とを備えている。
【００３０】
プロセッサ２０は、ＲＯＭ２２およびハードディスク装置２３に記憶されたプログラムをＲＡＭ２１に読み込んで、ＲＡＭ２１に読み込んだプログラムを実行することによって、当該コンピュータ装置をレシピ作成装置２として機能させるようになっている。
【００３１】
当該プロラムを実行するプロセッサ２０は、電子秤１０ａ乃至１０ｅによって検出された質量、操作センサ１２によって検出された操作を表す情報、および、温度センサ１４によって検出された温度をタイマによって計られた時刻に対応させてＲＡＭ２１またはハードディスク装置２３に記録するようになっている。このように、ＲＡＭ２１またはハードディスク装置２３は、本発明に係る記録部を構成する。
【００３２】
ハードディスク装置２３には、図３に示すように、各センサに対する情報種別と検出対象と初期値とを表すセンサ対応テーブルが格納されている。例えば、センサ対応テーブルの１行目は、センサＩＤとして１が割り当てられた電子秤１０ａの情報種別が質量であり、検出対象がカレイであり、調理前のカレイの質量が１００ｇであることを示している。
【００３３】
このように、図３に示す対応テーブルにおいては、電子秤１０ｂには、センサＩＤとして２が割り当てられ、電子秤１０ｃには、センサＩＤとして３が割り当てられ、電子秤１０ｄには、センサＩＤとして４が割り当てられ、電子秤１０ｅには、センサＩＤとして５が割り当てられている。
【００３４】
同様に、図３に示す対応テーブルにおいては、操作センサ１２には、センサＩＤとして６が割り当てられ、温度センサ１４には、センサＩＤとして７が割り当てられている。なお、センサ対応テーブルは、入力装置２４等を介して入力され、プロセッサ２０によってハードディスク装置２３に事前に格納される。
【００３５】
プロセッサ２０は、図４に示すように、各センサから得られる検出値をタイマによって計られた時刻に対応させたタイムテーブルをＲＡＭ２１またはハードディスク装置２３に記録するようになっている。ここで、プロセッサ２０は、何れかのセンサ１０ａ乃至１０ｅ、１２、１４によって送信された検出値を受信する度に、センサ対応テーブルに基づいてタイムテーブルに検出値を登録するようになっている。
【００３６】
また、プロセッサ２０は、タイムテーブルに登録された時刻、センサＩＤおよび検出値に基づいて、各調理段階で使用された食材の量や調理器具の利用状態を検出することにより調理のレシピを表すレシピ情報を生成するようになっている。このように、プロセッサ２０は、本発明に係るレシピ情報生成部を構成する。
【００３７】
例えば、図４に示したタイムテーブルの１行目からは、センサＩＤとして５が割り当てられた電子秤１０ｅによって検出された質量が−１００ｇを示していることから、時刻００：０４：０５で１００ｇの容器に入れられた水が電子秤１０ｅから外されたことがわかり、水の使用が開始されたことがわかる。
【００３８】
また、タイムテーブルの２行目からは、電子秤１０ｅによって検出された質量が８００ｇを示していることから、時刻００：０５：００で８００ｇの水が電子秤１０ｅに載せられたことがわかる。すなわち、タイムテーブルの１行目と２行目から、水が２００ｇ使用されたことが分かる。
【００３９】
また、タイムテーブルの３、４行目からは、水の使用を期に、調理用鍋１３の温度が低下していることが分かり、タイムテーブルの５行目からは、時刻００：０５：１２に加熱器１１がオンされたことが分かる。
【００４０】
さらに、タイムテーブルの６行目以降からは、加熱器１１がオンされたことを期に調理用鍋１３の温度が上昇していることが分かり、タイムテーブルの１３行目からは、時刻００：１５：３２に加熱器１１がオフされたことが分かる。一方、タイムテーブルの１０行目と１１行目からは、２０ｇの容器に入れられた塩が７ｇ使用されたことが分かる。プロセッサ２０は、このようにタイムテーブルを解析することによって図５に示すようなレシピを表すレシピ情報を生成するようになっている。
【００４１】
この一方で、図６に示すように、プロセッサ２０は生成したレシピ情報に基づいて、各調理段階におけるレシピを表す文字情報３０をカメラ３に撮影された映像３１に同期させながら合成するようになっている。このように、プロセッサ２０は、本発明に係る映像合成部を構成する。また、プロセッサ２０は、各調理段階におけるレシピの履歴を表す文字情報３２とカメラ３に撮影された映像３１とをさらに合成するようになっている。
【００４２】
ここで、プロセッサ２０は、温度センサ１４によって検出された温度の上昇率と、操作センサ１２によって検出された操作に基づいて、調理用鍋１３が加熱器１１によって加熱されていることを推定することができる。このように、プロセッサ２０は、図７に示すように、各センサ１０ａ乃至１０ｅ、１２、１４による検出値に基づいて、レシピの履歴を統合するようにすることが好ましい。
【００４３】
プロセッサ２０は、上述したように生成した映像と、マイクロホン４によって集音された音声とを含むコンテンツを通信モジュール２７を介して映像配信サーバ６等にアップロードするようになっている。
【００４４】
以上のように構成されたレシピ作成装置２について図８を用いてその動作を説明する。なお、以下に説明するレシピ作成装置２の動作がスタートするに先立って、ハードディスク装置２３には、設定済みのセンサ対応テーブルが既に格納され、ＲＡＭ２１またはハードディスク装置２３には、空のタイムテーブルが既に格納されているものとする。また、レシピ作成装置２の動作は、カメラ３によって撮影が開始されると共にスタートする。
【００４５】
まず、何れかのセンサ１０ａ乃至１０ｅ、１２、１４によって送信された検出値がプロセッサ２０に受信されると（ステップＳ１）、検出された検出値がプロセッサ２０のタイマによって計られた時刻に対応してタイムテーブルに登録される（ステップＳ２）。
【００４６】
ここで、タイムテーブルに検出値が登録されると、この検出値に基づいたレシピを表すレシピ情報がプロセッサ２０によって生成され（ステップＳ３）、生成されたレシピ情報を表す文字情報が、カメラ３によって撮影された映像に合成される（ステップＳ４）。
【００４７】
また、レシピの履歴を表す文字情報がプロセッサ２０によって更新され（ステップＳ５）、更新された文字情報がカメラ３によって撮影された映像に合成される（ステップＳ６）。
【００４８】
ここで、入力装置２４等を介して撮影の終了が指示されていない場合には（ステップＳ７：ＮＯ）、レシピ作成装置２の動作は、ステップＳ１に戻る。
【００４９】
一方、撮影の終了が指示された場合には（ステップＳ７：ＹＥＳ）、上述したように生成された映像と、マイクロホン４によって集音された音声とを含むコンテンツが、プロセッサ２０によって通信モジュール２７を介して映像配信サーバ６等にアップロードされる（ステップＳ８）。
【００５０】
このように本発明の一実施の形態のレシピ作成システム１は、各センサによって検出される調味料の使用量や火加減等に基づいて調理のレシピを作成するため、調理人やその補助者に負担をかけずに調理のレシピを作成することができる。
【００５１】
なお、本実施の形態においては、撮影した番組のコンテンツを通信モジュール２７を介して映像配信サーバ６にアップロードする例について説明したが、レシピ作成システム１は、当該番組をリアルタイムに配信するようにしてもよく、テレビ放送を介して配信するようにしてもよい。
【図面の簡単な説明】
【００５２】
【図１】本発明の一実施の形態におけるレシピ作成システムのブロック図である。
【図２】本発明の一実施の形態におけるレシピ作成装置のハードウエア構成を示すブロック図である。
【図３】本発明の一実施の形態におけるレシピ作成装置に格納されるセンサ対応テーブルの一例を示す概念図である。
【図４】本発明の一実施の形態におけるレシピ作成装置に格納されるタイムテーブルの一例を示す概念図である。
【図５】本発明の一実施の形態におけるレシピ作成装置によって生成されるレシピ情報の一例を示す概念図である。
【図６】本発明の一実施の形態におけるレシピ作成装置によって生成される映像の一例を示す概念図である。
【図７】本発明の一実施の形態におけるレシピ作成装置によって生成されるレシピ情報の履歴の一例を示す概念図である。
【図８】本発明の一実施の形態におけるレシピ作成装置の動作を説明するためのフローチャートである。
【符号の説明】
【００５３】
１  レシピ作成システム
２  レシピ作成装置
３  カメラ
４  マイクロホン
５  ネットワーク
６  映像配信サーバ
１０ａ〜１０ｅ  電子秤（センサ）
１１  加熱器
１２  操作センサ（センサ）
１３  調理用鍋
１４  温度センサ（センサ）
２０  プロセッサ
２１  ＲＡＭ
２２  ＲＯＭ
２３  ハードディスク装置
２４  入力装置
２５  表示装置
２６  インタフェイス回路
２７  通信モジュール
【図１】
2009151352.tif 000003
【図２】
2009151352.tif 000004
【図３】
2009151352.tif 000005
【図４】
2009151352.tif 000006
【図５】
2009151352.tif 000007
【図６】
2009151352.tif 000008
【図７】
2009151352.tif 000009
【図８】
2009151352.tif 000010